(57)【要約】【課題】  移動体通信網用の通信端末のように、常時ＩＰ網に接続することができない通信端末へ、ＩＰ電話の発信を可能とするシステム及び呼制御サーバを提供する。【解決手段】  呼制御サーバは、通信端末への発信要求に対して、前記通信端末の登録情報がない場合は、前記通信端末に、呼制御サーバへの登録を要求する登録要求信号を回線交換網に送信する手段と、前記通信端末がＩＰ網経由で登録を行った後、前記通信端末へ、ＩＰ網経由での呼接続処理を行う手段とを有し、回線交換網は、呼制御サーバから受信する、前記登録要求信号を、前記通信端末に送信する手段を有する。【選択図】  図１
2006180372.tif 000002
【特許請求の範囲】
【請求項１】
回線交換網と接続し、ＩＰ網とは常時接続していない通信端末へのＩＰ電話の発信システムであって、
回線交換網及びＩＰ網と接続する呼制御サーバを有し、
呼制御サーバは、
前記通信端末への発信要求に対して、前記通信端末の登録情報がない場合は、前記通信端末に、呼制御サーバへの登録を要求する登録要求信号を回線交換網に送信する手段と、
前記通信端末がＩＰ網経由で登録を行った後、前記通信端末へ、ＩＰ網経由での呼接続処理を行う手段とを有し、
回線交換網は、
呼制御サーバから受信する、前記登録要求信号を、前記通信端末に送信する手段を有することを特徴とするシステム。
【請求項２】
前記回線交換網は、呼制御のための制御線を用いて、前記通信端末に、前記登録要求信号を送信することを特徴とする請求項１に記載のシステム。
【請求項３】
前記回線交換網は、回線交換網に接続する通信端末に、制御線を用いてメッセージを送信するＳＭＳサーバを有し、
前記呼制御サーバは、ＳＭＳサーバに前記登録要求信号を送信することを特徴とする請求項２に記載のシステム。
【請求項４】
回線交換網と接続し、ＩＰ網とは常時接続していない通信端末へのＩＰ電話の発信制御を行う呼制御サーバであって、
前記通信端末への発信要求に対して、前記通信端末の登録情報がない場合は、呼制御サーバへの登録を要求する登録要求信号を回線交換網経由で、前記通信端末に送信する手段と、
前記通信端末がＩＰ網経由で登録を行った後、前記通信端末へ、ＩＰ網経由での呼接続処理を行う手段とを、
有することを特徴とする呼制御サーバ。
【発明の詳細な説明】
【技術分野】
【０００１】
本発明は、移動体通信網用の通信端末のように、常時ＩＰ網には接続していない通信端末に対して、ＩＰ網経由による電話の発信、即ち、ＩＰ電話による発信を可能とするシステム及び呼制御サーバに関する。
【背景技術】
【０００２】
従来、電話サービスは、回線交換に基づく通信網により提供されてきたが、インターネットの普及により、パケット交換に基づくＩＰ電話サービスが提供され始めている。
【０００３】
図４は、ＩＰ網に接続した端末間でのＩＰ電話による発着信を説明するシーケンス図である。尚、図４において、呼制御サーバは、ＩＰ電話の呼制御を行う装置であり、図４に示す各メッセージは、ＳＩＰ（Ｓｅｓｓｉｏｎ  Ｉｎｉｔｉａｔｉｏｎ  Ｐｒｏｔｏｃｏｌ、非特許文献１参照。）に基づくものである。
（Ｓ４１）  端末Ａは、呼制御サーバが端末Ａへアクセスするための情報を、呼制御サーバに登録しておくためにＲｅｇｉｓｔｅｒメッセージを、呼制御サーバに送信する。呼制御サーバは、端末Ａへのアクセス情報の登録処理後、登録処理が終了した旨を通知するため、２００ｏｋメッセージを、端末Ａに送信する。
（Ｓ４２）  端末Ｂも、同様に、呼制御サーバへの登録処理を行う。
（Ｓ４３）  端末Ａは、端末Ｂに発信するため、電子メールアドレスや電話番号といった、端末Ｂを特定する情報を含むＩｎｖｉｔｅメッセージを、呼制御サーバに送信する。呼制御サーバは、登録している端末Ｂへのアクセス情報に基づき、Ｉｎｖｉｔｅメッセージを端末Ｂに送信して、端末Ｂに着信を通知する。また、Ｉｎｖｉｔｅメッセージを受信した呼制御サーバ及び端末Ｂは、要求された処理を実行中であることを示すため、要求の送信元である端末Ａ及び呼制御サーバにＴｒｙｉｎｇメッセージを、それぞれ送信する。
（Ｓ４４）  端末Ｂは、鳴動又は振動等により、着信表示を行っていることを発信元に通知するため、Ｒｉｎｇｉｎｇメッセージを送信する。
（Ｓ４５）  端末Ｂが応答したことを示すため、端末Ｂは、２００ｏｋメッセージを送信する。
【０００４】
上記シーケンスからも分かるとおり、ある端末に着信を伝えるためには、当該端末へのアクセス情報を呼制御サーバに、あらかじめ登録しておく必要がある。ＩＰ網への接続環境が、ＡＤＳＬやＣＡＴＶといった、常時接続環境であるならば、通信端末起動時に、併せて呼制御サーバへの登録処理を行わせることができ、従って、通信端末が起動している間、ＩＰ電話による着信を受けることは可能である。
【０００５】
【非特許文献１】“SIP: Session Initiation Protocol”、RFC3261、２００２年６月
【発明の開示】
【発明が解決しようとする課題】
【０００６】
一方、現在、携帯電話のような移動体通信網用の通信端末は、ＩＰ網への接続機能を、ほぼ標準機能として装備しているが、ＩＰアドレス等の制約から、実際に通信端末の利用者がＩＰ網へのアクセス操作を開始したときに、通信端末はＩＰアドレスを取得する構成となっている。即ち、ＩＰ網へのアクセス操作を行っていないとき（以下、通常時と表現する）は、実質、ＩＰ網との接続は切れている状態となっている。
【０００７】
上記通信端末においては、例えば、起動時にＩＰアドレスを取得して、呼制御サーバに登録を行っておくことは不可能であり、よって、ＩＰ網への接続機能を有しているのにも係らず、ＩＰ電話の着信を受けることはできないこととなる。
【０００８】
従って、本発明は、移動体通信網用の通信端末のように、常時ＩＰ網に接続することができない通信端末へ、ＩＰ電話の発信を可能とするシステム及び呼制御サーバを提供することを目的とする。
【課題を解決するための手段】
【０００９】
本発明におけるシステムによれば、
回線交換網と接続し、ＩＰ網とは常時接続していない通信端末へのＩＰ電話の発信システムであって、回線交換網及びＩＰ網と接続する呼制御サーバを有し、呼制御サーバは、前記通信端末への発信要求に対して、前記通信端末の登録情報がない場合は、前記通信端末に、呼制御サーバへの登録を要求する登録要求信号を回線交換網に送信する手段と、前記通信端末がＩＰ網経由で登録を行った後、前記通信端末へ、ＩＰ網経由での呼接続処理を行う手段とを有し、回線交換網は、呼制御サーバから受信する、前記登録要求信号を、前記通信端末に送信する手段を有することを特徴とする。
【００１０】
本発明のシステムにおける他の実施形態によれば、
前記回線交換網は、呼制御のための制御線を用いて、前記通信端末に、前記登録要求信号を送信することも好ましい。
【００１１】
また、本発明のシステムにおける他の実施形態によれば、
前記回線交換網は、回線交換網に接続する通信端末に、制御線を用いてメッセージを送信するＳＭＳサーバを有し、前記呼制御サーバは、ＳＭＳサーバに前記登録要求信号を送信することも好ましい。
【００１２】
本発明における呼制御サーバによれば、
回線交換網と接続し、ＩＰ網とは常時接続していない通信端末へのＩＰ電話の発信制御を行う呼制御サーバであって、前記通信端末への発信要求に対して、前記通信端末の登録情報がない場合は、呼制御サーバへの登録を要求する登録要求信号を回線交換網経由で、前記通信端末に送信する手段と、前記通信端末がＩＰ網経由で登録を行った後、前記通信端末へ、ＩＰ網経由での呼接続処理を行う手段とを有することを特徴とする。
【発明の効果】
【００１３】
ＩＰ網とは接続していない通信端末に対しては、回線交換網経由で、呼制御サーバへの登録を要求し、通信端末にＩＰ網との接続を確立させた上で、呼制御サーバへの登録を行わせる構成とすることで、常時ＩＰ網に接続していない通信端末に対してのＩＰ電話による発信が可能となる。
【００１４】
前記登録の要求を、回線交換網内部及び回線交換網と通信端末間の制御線により通信端末に送信する構成とすることで、実際に、呼制御サーバと通信端末間の回線設定を必要とせず、迅速に登録を要求する信号を通信端末に送信できる。
【００１５】
既存システムを最大限に利用することで、実施のために必要なコストを低くすることができる。
【発明を実施するための最良の形態】
【００１６】
本発明を実施するための最良の実施形態について、以下では図面を用いて詳細に説明する。
【００１７】
図１は、本発明によるシステムの実施形態を説明する図である。図１によると、システムは、通信端末１と、呼制御サーバ２と、回線交換網３と、ＩＰ網４と、ＩＰ網４に接続する通信端末５とを有する。
【００１８】
回線交換網３は、従来からの電話網等に用いられている、回線交換に基づく通信網であり、ＩＰ網４は、インターネットプロトコルといった、パケット交換に基づく通信網である。
【００１９】
呼制御サーバ２は、ＩＰ網に接続した通信端末間での回線設定／切断等の呼制御処理を行う装置であり、例えば、ＳＩＰサーバ等がその例である。更に、呼制御サーバ２は、回線交換網３と接続している。
【００２０】
通信端末１は、移動体通信網用の通信端末のように、回線交換網３及びＩＰ網４の両方に接続して通信を行う機能を有するが、通常時は、ＩＰ網４に接続して通信するためのＩＰアドレス等の付与は行われておらず、ＩＰ網４経由での情報の受信はできない状態となっている。即ち、通常時、図１の符号１３の実線で示すように、回線交換網３とは接続しているため、回線交換網３を経由しての発着信は可能であるが、符号１４の点線で示すように、ＩＰ網４とは、実質的には接続していない状態となっている。
【００２１】
通信端末１がＩＰ網４と接続状態となるのは、その利用者がＩＰ網４へのアクセス操作を行った場合のように、通信端末１がＩＰ網４へ接続する必要が生じた場合であり、その場合、通信端末１は、ＩＰ網４から、ＩＰアドレスといった、ＩＰ網４経由で通信するために必要な情報の取得をする。
【００２２】
図２は、回線交換網３の構成を説明する概略図である。回線交換網３は、ＳＭＳサーバ３１と、複数の交換機３２とを有する。交換機３２は、回線交換網３に接続する通信端末間に回線設定を行うための交換機能を有する。
【００２３】
ＳＭＳサーバ３１は、交換機３２と接続し、呼制御のための制御信号用の伝送路である制御線により、交換機３２を経由して通信端末１に各種メッセージを送信する機能を有する。また、ＳＭＳサーバ３１は、呼制御サーバ２と接続している。
【００２４】
図３は、ＩＰ網４に接続する通信端末５から、常時ＩＰ網４に接続していない通信端末１へのＩＰ電話の発信シーケンス図である。尚、通信端末５は、既に呼制御サーバ２への登録処理を完了しているものとする。
【００２５】
（Ｓ３１）  通信端末５は、通信端末１に、ＩＰ網経由の発信するため、通信端末１の電話番号といった、通信端末１を特定する情報を含むＩｎｖｉｔｅメッセージを、呼制御サーバ２に送信する。呼制御サーバ２は、自身に通信端末１の登録情報がないため、回線交換網３に対して通信端末１を特定する情報を含む登録要求信号を送信する。呼制御サーバ２が送信した登録要求信号は、ＳＭＳサーバ３１が受信し、ＳＭＳサーバ３１は、受信した登録要求信号に含まれる通信端末１を特定する情報に基づき、制御線を利用して通信端末１に登録要求信号を送信する。登録要求信号を受信した、通信端末１は、受信確認のため、応答信号をＳＭＳサーバ３１に送信し、同様に、ＳＭＳサーバ３１は、応答信号を呼制御サーバ２に送信する。また、呼制御サーバ２は、要求された通信端末１への呼設定処理を実行中であることを示すため、要求の送信元である通信端末５にＴｒｙｉｎｇメッセージを送信する。
【００２６】
（Ｓ３２）  回線交換網３より、登録要求信号を受信した通信端末１は、ＩＰ網４から、ＩＰアドレスといった、ＩＰ網４経由で通信するために必要な情報を取得し、ＩＰ網４と接続状態にする。
【００２７】
（Ｓ３３）  ＩＰ網と接続状態となった通信端末１は、呼制御サーバ２に対しての登録処理を行う。
【００２８】
（Ｓ３４）  通信端末１の登録処理の完了に伴い、呼制御サーバ２は、ＩＰ網４経由でＩｎｖｉｔｅメッセージを通信端末１に送信し、通信端末５からの着信を通信端末１に通知する。その後は、既に説明したシーケンスで回線設定が行われる。
【００２９】
以上により、常時ＩＰ網４とは接続していない通信端末に対して、ＩＰ網４を経由したＩＰ電話の発信が可能となる。また、回線交換網内部及び回線交換網と通信端末１間の制御線により通信端末１に、登録要求信号を送信する構成とすることで、実際に、呼制御サーバ２と通信端末１間の回線設定を必要としない構成としている。
【００３０】
また、ＳＭＳサーバ３１は、既存の移動体通信網のショートメッセージサービスに用いられているものであり、既存システムを最大限に利用することで、実施のために必要なコストを低くすることができる。
【図面の簡単な説明】
【００３１】
【図１】本発明によるシステムの実施形態を説明する図である。
【図２】回線交換網の構成を説明する概略図である。
【図３】ＩＰ網に接続する通信端末から、常時ＩＰ網に接続していない通信端末へのＩＰ電話の発信シーケンス図である。
【図４】ＩＰ網に接続した端末間でのＩＰ電話による発着信を説明するシーケンス図である。
【符号の説明】
【００３２】
１、５  通信端末
２  呼制御サーバ
３  回線交換網
４  ＩＰ網
１３  回線交換網とのリンク
１４  ＩＰ網とのリンク
３１  ＳＭＳサーバ
３２  交換機
【図１】
2006180372.tif 000003
【図２】
2006180372.tif 000004
【図３】
2006180372.tif 000005
【図４】
2006180372.tif 000006